【手続補正書】
【提出日】令和2年9月8日(2020.9.8)
【手続補正１】
【補正対象書類名】特許請求の範囲
【補正対象項目名】全文
【補正方法】変更
【補正の内容】
【特許請求の範囲】
【請求項１】
第１の画像センサ及び第２の画像センサと、
第１のエンコーダ及び第２のエンコーダと、
画像データ結合ユニットと
を備えた、デジタルビデオカメラ又はデジタルスチルカメラである、撮像デバイスであって、
前記第１の画像センサは第１の画像フレームを撮像するように構成され、前記第２の画像センサは第２の画像フレームを撮像するように構成され、
前記第１のエンコーダは、前記第１の画像フレームの画像データを第１の符号化されたデータに符号化するよう構成されており、
前記第２のエンコーダは、前記第２の画像フレームの画像データを第２の符号化されたデータに符号化するよう構成されており、
前記画像データ結合ユニットは、前記第１のエンコーダから前記第１の符号化されたデータを、及び前記第２のエンコーダから前記第２の符号化されたデータを受信して、符号化された画像を形成するよう構成されており、前記符号化された画像は、前記第１の符号化されたデータを、第１のタイル又は第１のスライスとして含み、前記第２の符号化されたデータを、第２のタイル又は第２のスライスとして含む、
撮像デバイス。
【請求項２】
前記第１の符号化されたデータ及び前記第２の符号化されたデータのそれぞれは、前記第１の画像センサ及び前記第２の画像センサが前記第１の画像フレーム及び前記第２の画像フレームを撮像した瞬間を示すメタデータを含み、
前記画像データ結合ユニットは、前記第１の画像フレームを撮像する前記瞬間と前記第２の画像フレームを撮像する前記瞬間とが等しいことを、前記第１の符号化されたデータ及び前記第２の符号化されたデータの前記メタデータのそれぞれが示す場合にのみ、前記符号化された画像を形成するよう構成されている、
請求項１に記載の撮像デバイス。
【請求項３】
前記第１の画像フレーム及び前記第２の画像フレームが撮像される瞬間を同期するよう構成された１つ又はそれ以上の第１のコントローラをさらに含む、
請求項１又は２に記載の撮像デバイス。
【請求項４】
前記１つ又はそれ以上の第１のコントローラは、前記第１の画像センサ及び前記第２の画像センサのフォーカス設定と、
前記第１の画像センサ及び前記第２の画像センサの赤外線（ｉｎｆｒａｒｅｄ又はＩＲ）カットフィルタ設定と、
前記第１の画像センサ及び前記第２の画像センサの露光設定と、
のリストからの少なくとも１つを同期するよう構成されている、
請求項３に記載の撮像デバイス。
【請求項５】
前記第１のエンコーダ及び前記第２のエンコーダのホワイトバランス設定と、
前記第１のエンコーダ及び前記第２のエンコーダのトーンマッピング設定と、
のリストからの少なくとも１つを同期するよう構成されている１つ又はそれ以上の第２のコントローラをさらに含む、
請求項１〜４のいずれか一項に記載の撮像デバイス。
【請求項６】
前記第１の画像フレーム及び前記第２の画像フレームの画像データの内容を分析し、前記画像データのそれぞれを符号化するためのビットレート割当量を判定するよう構成されているアナライザユニットをさらに含み、
前記第１のエンコーダ及び前記第２のエンコーダは、前記第１の画像フレーム及び前記第２の画像フレームの画像データを、前記判定したビットレート割当量にしたがって符号化するよう構成されている、
請求項１〜５のいずれか一項に記載の撮像デバイス。
【請求項７】
前記アナライザユニットは、前記第１のエンコーダと同じチップ内に実装されている、請求項６に記載の撮像デバイス。
【請求項８】
第３の画像フレームを撮像するように構成された第３の画像センサをさらに含み、
前記第１のエンコーダ又は前記第２のエンコーダは、前記第３の画像フレームの画像データを第３の符号化されたデータに符号化するよう構成されており、
前記画像データ結合ユニットは、前記第３の画像フレームの前記画像データを第３の符号化されたデータに符号化するように構成された前記第１又は第２のエンコーダから、前記第３の符号化されたデータを受信するように構成されており、前記符号化された画像は、前記第３の符号化されたデータを、第３のタイル又は第３のスライスとしてさらに含む、
請求項１〜７のいずれか一項に記載の撮像デバイス。
【請求項９】
第３の画像センサ及び第４の画像センサをさらに含み、
前記第３の画像センサは第３の画像フレームを撮像するように構成され、前記第４の画像センサは第４の画像フレームを撮像するように構成され、
前記第１のエンコーダ又は前記第２のエンコーダは、前記第３の画像フレームの画像データを第３の符号化されたデータに符号化するよう構成されており、
前記第１のエンコーダ又は前記第２のエンコーダは、前記第４の画像フレームの画像データを第４の符号化されたデータに符号化するよう構成されており、
前記画像データ結合ユニットは、前記第３の画像フレームの前記画像データを第３の符号化されたデータに符号化するように構成された前記第１又は第２のエンコーダから、前記第３の符号化されたデータを受信するように、且つ前記第４の画像フレームの前記画像データを第４の符号化されたデータに符号化するように構成された前記第１又は第２のエンコーダから、前記第４の符号化されたデータを受信するように構成されており、前記符号化された画像は、前記第３の符号化されたデータを、第３のタイル又は第３のスライスとしてさらに含み、前記第４の符号化されたデータを、第４のタイル又は第４のスライスとしてさらに含む、
請求項１〜７のいずれか一項に記載の撮像デバイス。
【請求項１０】
前記符号化された画像は、クワッドビューの形態を有し、
前記符号化された画像データのそれぞれは、前記クワッドビュー内にビューのそれぞれを形成する、
請求項９に記載の撮像デバイス。
【請求項１１】
前記第１の符号化されたデータ、前記第２の符号化されたデータ、前記第３の符号化されたデータ、及び前記第４の符号化されたデータは、前記符号化された画像内にて水平方向又は垂直方向にシーケンス状に互いに隣り合って配置されている、
請求項９に記載の撮像デバイス。
【請求項１２】
前記画像データ結合ユニットはさらに、前記符号化された画像をビットストリームとして出力するよう構成されている、
請求項１〜１１のいずれか一項に記載の撮像デバイス。
【請求項１３】
前記画像データ結合ユニットは、前記第１のエンコーダ内に実装されている、
請求項１〜１２のいずれか一項に記載の撮像デバイス。
【請求項１４】
第１の画像センサ及び第２の画像センサと、
第１のエンコーダ及び第２のエンコーダと、
画像データ結合ユニットと
を備えた、デジタルビデオカメラ又はデジタルスチルカメラである撮像デバイスによって実行される、符号化された画像を形成するための方法であって、前記方法が、
第１の画像センサにより、第１の画像フレームを撮像することと、
第２の画像センサにより、第２の画像フレームを撮像することと、
第１のエンコーダにより、前記第１の画像フレームの画像データを第１の符号化されたデータに符号化することと、
第２のエンコーダにより、前記第２の画像フレームの画像データを第２の符号化されたデータに符号化することと、
前記画像データ結合ユニットにより、前記第１の符号化されたデータを受信することと、
前記画像データ結合ユニットにより、前記第２の符号化されたデータを受信することと、
前記画像データ結合ユニットにより、前記符号化された画像を形成することと、を含み、
前記符号化された画像は、前記第１の符号化されたデータを、第１のタイル又は第１のスライスとして含み、前記第２の符号化されたデータを、第２のタイル又は第２のスライスとして含む、方法。
【請求項１５】
処理機能を有するデバイスにより実行されると、請求項１４に記載の方法を実施するよう構成されている命令を保存しているコンピュータ可読記憶媒体を含む、コンピュータプログラム製品。